(57)【要約】    【課題】遮音性シートの固定を外部から容易に目視確認可能とし、防水効果の低下を防止しうる遮音性シート及びその固定方法を提供する。    【解決手段】車両ドアＤの内側に設けられたパネル１１の一部または全部を覆う遮音性シート２０を、前記パネル１１に対して粘着材Ｓ又は接着剤で固定する方法であって、前記粘着材Ｓ又は接着剤で固定される遮音性シート２０の部位を前記パネル１１側とは逆側に突出する凸形状の部位２１にし、前記粘着材Ｓ又は接着剤を介して固定するとき、前記凸形状の部位２１を前記パネル１１側に凹ませるようにした。【選択図】      図１
2005306173.tif 000002
【特許請求の範囲】
【請求項１】
車両ドアの内側に設けられたパネルの一部または全部を覆う遮音性シートであって、
前記パネルに対して粘着材又は接着剤で固定される部位を凸形状又は凹形状にし、前記固定により凸形状又は凹形状を変形するようにしたことを特徴とする遮音性シート。
【請求項２】
車両ドアの内側に設けられたパネルの一部または全部を覆う遮音性シートを、前記パネルに対して粘着材又は接着剤で固定する方法であって、
前記粘着材又は接着剤で固定される遮音性シートの部位を前記パネル側とは逆側に突出する凸形状にし、
前記粘着材又は接着剤を介して固定するとき、前記凸形状を前記パネル側に凹ませるようにしたことを特徴とする遮音性シートの固定方法。
【請求項３】
車両ドアの内側に設けられたパネルの一部または全部を覆う遮音性シートを、前記パネルに対して粘着材又は接着剤で固定する方法であって、
前記粘着材又は接着剤で固定される遮音性シートの部位を前記パネル側に突出する凸形状にし、
前記粘着材又は接着剤を介して固定するとき、前記凸形状を前記パネル側とは逆側に凹ませるようにしたことを特徴とする遮音性シートの固定方法。
【請求項４】
車両ドアの内側に設けられたパネルの一部または全部を覆う遮音性シートを、前記パネルに対して粘着材又は接着剤で固定する方法であって、
前記粘着材又は接着剤で固定される遮音性シートの部位を凹凸形状にし、
前記粘着材又は接着剤を介して固定するとき、前記凹凸形状を小さくするようにしたことを特徴とする遮音性シートの固定方法。
【請求項５】
車両ドアの内側に設けられたパネルの一部または全部を覆う遮音性シートを、前記パネルに対して粘着材又は接着剤で固定する方法であって、
前記粘着材又は接着剤で固定される遮音性シートの部位を略平板形状にし、
前記粘着材又は接着剤を介して固定するとき、前記平板形状に凹凸を形成するようにしたことを特徴とする遮音性シートの固定方法。
【請求項６】
前記パネルに対して粘着材又は接着剤で固定される遮音性シートの部位を、別体で構成したことを特徴とする請求項１乃至５のうちいずれか一つに記載の遮音性シート及びその固定方法。
【請求項７】
前記パネルに対して粘着材又は接着剤で固定される遮音性シートの部位に、粘着又は接着効果を高める補強材を貼着したことを特徴とする請求項１乃至６のうちいずれか一つに記載の遮音性シート及びその固定方法。
【発明の詳細な説明】
【技術分野】
【０００１】
本発明は、例えば、ドアインナーパネルなどの車両ドアの内側に設けられたパネルを覆う遮音性シート及びその固定方法に関するものである。
【背景技術】
【０００２】
図６に示すように、従来、ドアＤ内部の遮音性対策として、ドアインナーパネルの車内側に取付けられた内装用のドアトリム１の裏面にフェルト２やウレタンを貼付けか、あるいはドアインナーパネル側にウレタン成形品を貼付ることが知られている。
例えば、特許文献１では、ウレタンフォーム等からなるパッド材が設けられたドアトリムが開示されている。また、特許文献２には、発泡ウレタンからなる遮音カバーが開示されている。
【特許文献１】実公平５−２３３７６号公報
【特許文献２】特開平１０−１１９１５９号公報
【０００３】
しかし、これらフェルト２，ウレタン，パッド材，遮音カバーは、すべて別部品でありドアトリム１側あるいはドアインナーパネルの車内側に部分的に取付けられるものであるため、遮音効果は十分なものではなかった。また、部分的に取付ける必要があるので、組付作業が煩雑であるといった問題があった。
【０００４】
そこで、本出願人は、図７に示すように、ドアインナーパネル１１とドアトリム１２の間に、遮音性シート２０を上側から下側にのれん状に垂らすように設け、フェルト，ウレタン，パッド材，遮音カバー等を設けたものと比較して遮音性を向上させたものについて提供した（例えば、特許文献３）。なおドアトリム１２はクリップＣによってドアインナーパネル１１に固定されている。
【特許文献３】特開２００３−２５２０５４号公報
【０００５】
遮音性シート２０としては、ドアインナーパネル１１の全面を覆うものや、一部だけを覆うものが考えられ、防音効果に加えて、優れた防水性を得るために、図８に示すように、ドアインナーパネル１１に対して遮音性シート２０をシーラント等の粘着材Ｓや接着剤によって固定することが考えられる。
【発明の開示】
【発明が解決しようとする課題】
【０００６】
しかしながら、遮音性シート２０には、通常、発泡体シート等の透明及び半透明ではない部材が使用されるため、遮音性シート２０がドアインナーパネル１１に対して確実にシーラント等の粘着材Ｓや接着剤によって固定されているか外部から目視確認することができない。
ドアインナーパネル１１に対する遮音性シート２０の固定が不十分であると、そこから車内側に水が浸入するおそれがある。
【０００７】
そこで、本発明の目的とするところは、遮音性シートの固定を外部から容易に目視確認可能とし、防水効果の低下を防止しうる遮音性シート及びその固定方法を提供することである。
【課題を解決するための手段】
【０００８】
上記の目的を達成するために本発明の遮音性シートは、車両ドアの内側に設けられたパネルの一部または全部を覆う遮音性シートであって、
前記パネルに対して粘着材又は接着剤で固定される部位を凸形状又は凹形状にし、前記固定により凸形状又は凹形状を変形するようにしたことを特徴とする。
【０００９】
また本発明の遮音性シートの固定方法は、車両ドアの内側に設けられたパネルの一部または全部を覆う遮音性シートを、前記パネルに対して粘着材又は接着剤で固定する方法であって、
前記粘着材又は接着剤で固定される遮音性シートの部位を前記パネル側とは逆側に突出する凸形状にし、前記粘着材又は接着剤を介して固定するとき、前記凸形状を前記パネル側に凹ませるようにしたことを特徴とする。
【００１０】
さらに本発明の遮音性シートの固定方法は、車両ドアの内側に設けられたパネルの一部または全部を覆う遮音性シートを、前記パネルに対して粘着材又は接着剤で固定する方法であって、
前記粘着材又は接着剤で固定される遮音性シートの部位を前記パネル側に突出する凸形状にし、前記粘着材又は接着剤を介して固定するとき、前記凸形状を前記パネル側とは逆側に凹ませるようにしたことを特徴とする。
【００１１】
また本発明の遮音性シートの固定方法は、車両ドアの内側に設けられたパネルの一部または全部を覆う遮音性シートを、前記パネルに対して粘着材又は接着剤で固定する方法であって、
前記粘着材又は接着剤で固定される遮音性シートの部位を凹凸形状にし、前記粘着材又は接着剤を介して固定するとき、前記凹凸形状を小さくするようにしたことを特徴とする。
【００１２】
また本発明の遮音性シートの固定方法は、車両ドアの内側に設けられたパネルの一部または全部を覆う遮音性シートを、前記パネルに対して粘着材又は接着剤で固定する方法であって、
前記粘着材又は接着剤で固定される遮音性シートの部位を略平板形状にし、前記粘着材又は接着剤を介して固定するとき、前記平板形状に凹凸を形成するようにしたことを特徴とする。
【００１３】
また本発明は、前記パネルに対して粘着材又は接着剤で固定される遮音性シートの部位を、別体で構成したことを特徴とする。
また本発明は、前記パネルに対して粘着材又は接着剤で固定される遮音性シートの部位に、粘着又は接着効果を高める補強材を貼着したことを特徴とする。
【発明の効果】
【００１４】
本発明によれば、パネルに対して粘着材又は接着剤で固定される遮音性シートの部位を凸形状又は凹形状にし、前記固定により凸形状又は凹形状を変形するように、あるいは、遮音性シートの部位を略平板形状にし、固定により平板形状に凹凸を形成するようにしたので、例えば、遮音性シートの凸形状の部位がドアインナーパネル側に凹んだ部位は、粘着材又は接着剤により確実に固定されていると外部から目視判断できる。また、ドアインナーパネル側に凹んだ部位がない場合または凹んだ部位が連続していない場合は、粘着材又は接着剤により固定されていないか、あるいは固定が不十分であると外部から目視判断することができる。
特に、透明又は半透明ではなく、粘着材又は接着剤により固定されているか否か外部から判断することができない遮音性シートに対して有効である。
【００１５】
また本発明によれば、パネルに対して粘着材又は接着剤で固定される遮音性シートの部位を、別体で構成したので、別体を遮音性シートとは異なる材質にすることができる。
さらに、本発明によれば、パネルに対して粘着材又は接着剤で固定される遮音性シートの部位に、粘着又は接着効果を高める補強材を貼着したので、強度的にも向上し、破れを防止することができる。
【発明を実施するための最良の形態】
【００１６】
（第１実施形態）
図１を参照して、本発明の第１実施形態に係る遮音性シート２０及びその遮音性シート２０の固定方法について説明する。
【００１７】
本発明の実施形態に係る遮音性シート２０は、図７で示したものと同様に、車両のドアＤの内側に設けられたドアインナーパネル１１と、ドアインナーパネル１１の車内側に取付けられた内装用のドアトリム１２との間に設けられ、ドアインナーパネル１１の全部（一部でもよい）を覆っている。これにより、ドアインナーパネル１１とドアトリム１２の間に遮音性シート２０を介して２つの空間が生じるので遮音性が向上する。
それに加えて、遮音性シート２０は、ドアインナーパネル１１にシーラント等の粘着材Ｓ（接着剤でもよい）によって強固に固定され、防水効果が図られている。
【００１８】
遮音性シート２０は略矩形状であり、その材質としては、特に限定されるものではないが、ＥＰＤＭ，ＣＲ，ＳＢＲ，ＮＢＲ等の合成ゴムがあげられる。とりわけ、その中でも、高発泡にしやすく、かつ比重をコントロールしやすいという点でＥＰＤＭが好ましい。
【００１９】
そして、図１（ａ）で示すように、粘着材Ｓで固定される遮音性シート２０の部位、ここでは遮音性シート２０の端部には、ドアインナーパネル１１側とは逆側に突出する凸形状の部位２１、より具体的には逆Ｕ字形状の部位を一体的に形成している。この凸形状の部位２１は、プレス成形やくせ付け等種々の方法で形成することができる。
そして、図１（ｂ）で示すように、遮音性シート２０をドアインナーパネル１１に固定する場合には、粘着材Ｓを、遮音性シート２０の凸形状の部位２１の内側、あるいは、その凸形状の部位２１に相対向するドアインナーパネル１１の位置に塗布した後、遮音性シート２０をドアインナーパネル１１に押圧して固定する。この固定が確実に行われると、遮音性シート２０の凸形状の部位２１は、ドアインナーパネル１１側に凹むようになっている、より具体的には逆Ｕ字形状の部位の頂部がドアインナーパネル１１側に凹むようになっている。
【００２０】
これによって、遮音性シート２０の凸形状の部位２１がドアインナーパネル１１側に凹んだ部位は、粘着材Ｓにより確実に固定されていると外部から目視判断でき、ドアインナーパネル１１側に凹んだ部位がない場合または凹んだ部位が連続していない場合は、粘着材Ｓにより固定されていないか、あるいは固定が不十分であると外部から目視判断することができる。
特に、透明又は半透明ではなく、粘着材Ｓにより固定されているか否か外部から判断することができない遮音性シート２０に対して有効である。
【００２１】
なお、本発明の実施形態では、粘着材Ｓで固定される遮音性シート２０の部位を遮音性シート２０と一体成形したが、図２に示すように、粘着材Ｓで固定される遮音性シート２０の部位を遮音性シート２０とは別体にすることもできる。
これによれば、別体品３０を遮音性シート２０とは異なる材質のもの、例えば遮音性シート２０をＥＰＤＭとした場合に、別体品３０をＣＲ，ＳＢＲ，ＮＢＲ等の合成ゴムにしたり、あるいはポリ塩化ビニル，ポリエチレン，ポリスチレン等の合成樹脂にすることができる。
【００２２】
また、図３に示すように、粘着材Ｓで固定される遮音性シート２０の部位となる、逆Ｕ字形状の部位の内側に、粘着効果を高めるためのフィルム状の補強材４０、例えば、樹脂や布等を貼着することもできる。これによれば、粘着効果の向上に加えて、取扱時やドアインナーパネル１１からの脱着時の破れを防止することができる。
【００２３】
（第２実施形態）
次に図４を参照して、本発明の第２実施形態に係る遮音性シート２０及びその固定方法について説明する。
【００２４】
本発明の第１実施形態では、粘着材Ｓで固定される遮音性シート２０の部位として遮音性シート２０の端部に逆Ｕ字形状の部位を一体成形したものであるが、遮音性シート２０の端部を、ドアインナーパネル１１側とは逆側に予め折り曲げ（図４（ａ））、粘着材Ｓで固定された部位を、図４（ｂ）に示すように、ドアインナーパネル１１側とは逆側に盛り上がるようにすることもできる。
【００２５】
（第３実施形態）
次に図５を参照して、本発明の第３実施形態に係る遮音性シート２０及びその固定方法について説明する。
【００２６】
本発明の第１実施形態では、粘着材Ｓで固定される遮音性シート２０の部位として遮音性シート２０の端部に逆Ｕ字形状の部位を一体成形したものであるが、遮音性シート２０の端部を、ドアインナーパネル１１側に突出する凸形状にし（図５（ａ））、粘着材Ｓで固定された部位を、図５（ｂ）に示すように、ドアインナーパネル１１側とは逆側に凹ませるようにすることもできる。
【００２７】
なお、本発明の第１、第３実施形態では、粘着材Ｓで固定される遮音性シート２０の部位を、遮音性シート２０の端部に設定するようにしたが、端部に限らず任意の部位に設定することができる。
【００２８】
また本発明の第１乃至第３実施形態では、粘着材Ｓで固定される遮音性シートの部位の形状例を示したが、これらに限定されるものではなく、粘着材Ｓで固定される遮音性シートの部位を凹凸形状にし、固定時に形成された凹凸形状を小さくしたり、粘着材Ｓで固定される遮音性シートの部位を略平板形状にし、固定時に形成された平板形状に凹凸を形成するようにすることもできる。
また凹凸形状は、粘着材Ｓや接着剤の取付面に対して、長手方向に連続しているのが好ましいが、断続的に設けるものであってもよい。
【図面の簡単な説明】
【００２９】
【図１】本発明の第１実施形態に係る遮音性シートの固定を示す図７のＡ−Ａ線拡大断面図である。
【図２】本発明の第１実施形態に係る別の遮音性シートの要部を示す断面図である。
【図３】本発明の第１実施形態に係る別の遮音性シートの要部を示す断面図である。
【図４】本発明の第２実施形態に係る遮音性シートの固定を示す図７のＡ−Ａ線拡大断面図である。
【図５】本発明の第３実施形態に係る遮音性シートの固定を示す図７のＡ−Ａ線拡大断面図である。
【図６】従来例に係るフェルトが取付けられたドアを示す外観斜視図である。
【図７】別の従来例に係る遮音性シートが取付けられるドアを示す外観斜視図である。
【図８】別の従来例に係る遮音性シートの固定を示す図７のＡ−Ａ線拡大断面図である。
【符号の説明】
【００３０】
１      ドアトリム
２      フェルト
１１      ドアインナーパネル
１２      ドアトリム
２０      遮音性シート
２１      凸形状の部位
３０      別体品
４０      補強材
Ｃ      クリップ
Ｄ      ドア
Ｇ      ドアガラス
Ｓ      粘着材
【図１】
2005306173.tif 000003
【図２】
2005306173.tif 000004
【図３】
2005306173.tif 000005
【図４】
2005306173.tif 000006
【図５】
2005306173.tif 000007
【図６】
2005306173.tif 000008
【図７】
2005306173.tif 000009
【図８】
2005306173.tif 000010